(57)【要約】【課題】識別情報を変動表示しうる可変表示装置を備えたパチンコ機等の遊技機において、興趣の飛躍的な向上を図る。【解決手段】パチンコ機１の遊技盤２には作動口３及び大入賞口４が設けられ、遊技盤２の中央部分には表示部１３ａを備えた表示装置１３が組込まれている。表示部１３ａには複数の図柄列が表示され、図柄列は複数種類の図柄によって構成されている。制御装置２４は、遊技状況検出手段による検出結果に基づく所定の契機の発生によって、図柄の変動表示を開始させ、所定時間経過後に停止表示させる。また、制御装置２４は、所定の契機の１回の発生によって、図柄の変動停止表示を複数回行いうる。【選択図】          図１
2010172747.tif 000002
【特許請求の範囲】
【請求項１】
遊技者の操作に応じて変化する遊技状況を検出する遊技状況検出手段と、
前記遊技状況検出手段による検出結果に基づく所定の契機の発生によって、識別情報の変動表示を開始させ、所定時間経過後に停止表示可能な可変表示装置と、
前記識別情報が特定表示態様となって最終的に停止表示されることを必要条件に、遊技者に有利な特別遊技状態を発生させる特別遊技状態発生手段と
を備えた遊技機において、
前記所定の契機の１回の発生によって、前記識別情報の変動停止表示を複数回行いうるようにしたことを特徴とする遊技機。
【発明の詳細な説明】
【技術分野】
【０００１】
本発明は、識別情報を変動表示しうる可変表示装置を備えたパチンコ機等の遊技機に関するものである。
【背景技術】
【０００２】
従来、遊技機の一種として、複数種類の図柄等を、予め定められた配列で変動表示するための可変表示装置を備えたパチンコ機が知られている。
【０００３】
この種のパチンコ機では、表示装置での変動表示停止時の表示図柄（停止図柄）に応じて、リーチ状態を経た後に遊技者に有利な状態となる「特別遊技状態（大当たり状態）」、リーチ状態を経た後に特別遊技状態とはならない「外れリーチ状態」、又は、リーチ状態を経ず、かつ、特別遊技状態ともならない「外れ状態」が発生させられる。停止図柄には、特別遊技状態を発生させるための特別遊技図柄（大当たり図柄）、外れリーチを発生させるための外れリーチ図柄、及び、外れ状態を発生させるための外れ図柄がある。
【０００４】
前記のようなパチンコ機では、遊技者の操作に応じて変化する遊技状況が、所定の条件を満たすこと（例えば、遊技球が作動口に入賞すること等）によって、可変表示装置において、図柄の変動表示が開始される。また、上記特別遊技図柄、外れリーチ図柄、及び、外れ図柄の中から、遊技状況に応じた停止図柄が選択され、その選択された停止図柄で前記変動表示が停止させられる。そして、大当たり図柄で停止した場合には、特別変動入賞装置が遊技者にとって有利な状態となるように切換えられる。より詳しくは、大入賞口が開放される等によって、遊技者は大量の景品球を獲得することが可能となる。
【発明の概要】
【発明が解決しようとする課題】
【０００５】
ところが、上記従来技術においては、上記大当たり状態が発生するためには、可変表示装置において図柄の変動表示が行われなければならない。また、図柄の変動表示が行われるためには、遊技球が作動口に入賞（又は作動ゲートを通過）しなければならない。換言すれば、遊技球が作動口に入賞等しない限り、図柄の変動表示が行われる機会が与えられることがなく、そのため、遊技者は、まず遊技球を作動口に入賞させることに集中しなければならかった。従って、本来ならば、遊技における最終目標であるはずの特別遊技状態の発生をわくわく感をもちながら遊技を行うことに集中することができないおそれがあった。
【０００６】
特に、釘等の植設条件が遊技者に不利となっているような場合には、なかなか遊技球を作動口に入賞等させることができないケースも生じることがあった。その結果、遊技に際して興趣を低減させてしまうおそれがあった。
【０００７】
本発明は、上述した問題に鑑みてなされたものであって、その目的は、識別情報を変動表示しうる可変表示装置を備えたパチンコ機等の遊技機において、興趣の飛躍的な向上を図ることのできる遊技機を提供することにある。
【課題を解決するための手段】
【０００８】
上記の目的を達成するために有効な手段を以下に示す。なお、必要に応じてその作用等についても説明する。
【０００９】
手段１．遊技者の操作に応じて変化する遊技状況を検出する遊技状況検出手段と、前記遊技状況検出手段による検出結果に基づく所定の契機の発生によって、識別情報の変動表示を開始させ、所定時間経過後に停止表示可能な可変表示装置と、前記識別情報が特定表示態様となって最終的に停止表示されることを必要条件に、遊技者に有利な特別遊技状態を発生させる特別遊技状態発生手段とを備えた遊技機において、前記所定の契機の１回の発生によって、前記識別情報の変動停止表示を複数回行いうるようにしたことを特徴とする遊技機。
【００１０】
上記手段によれば、遊技者の操作に応じて変化する遊技状況が遊技状況検出手段によって検出され、その検出結果に基づく所定の契機の発生によって、可変表示装置の識別情報の変動表示が開始され、所定時間経過後に停止表示されうる。そして、識別情報が特定表示態様となって最終的に停止表示されることを必要条件に、特別遊技状態発生手段では、遊技者に有利な特別遊技状態が発生させられる。さて、上記手段では、前記所定の契機の１回の発生によって、識別情報の変動停止表示が複数回行われうる。そのため、遊技者は所定の契機が発生することだけに集中する必要がなくなり、仮に所定の契機が１回しか発生しなかった場合であって、識別情報が特定表示態様とは異なる態様で一旦停止表示されたとしても、次なる識別情報の変動表示に際し特別遊技状態の発生を期待しうる場合が生じる。そのため、面白味が一層増すこととなる。
【００１１】
手段２．遊技者の操作に応じて変化する遊技状況を検出する遊技状況検出手段と、前記遊技状況検出手段による検出結果に基づく所定の契機の発生によって、識別情報の変動表示を所定時間行い、所定時間経過後に識別情報を最終的に停止表示可能な可変表示装置と、前記識別情報が特定表示態様となって最終的に停止表示されることを必要条件に、遊技者に有利な特別遊技状態を発生させる特別遊技状態発生手段とを備えた遊技機において、前記所定時間の間に前記識別情報の変動停止表示を複数回行いうるようにしたことを特徴とする遊技機。
【００１２】
上記手段によれば、遊技者の操作に応じて変化する遊技状況が遊技状況検出手段により検出され、その検出結果に基づく所定の契機の発生によって、可変表示装置において識別情報の変動表示が所定時間行われ、所定時間経過後に識別情報が最終的に停止表示されうる。そして、識別情報が特定表示態様となって最終的に停止表示されることを必要条件に、特別遊技状態発生手段では、遊技者に有利な特別遊技状態が発生させられる。さて、上記手段では、前記所定時間の間に前記識別情報の変動停止表示が複数回行われうる。そのため、遊技者は所定の契機が発生することだけに集中する必要がなくなり、仮に所定の契機が１回しか発生しなかった場合であって、識別情報が特定表示態様とは異なる態様で一旦停止表示されたとしても、次なる識別情報の変動表示に際し特別遊技状態の発生を期待しうる場合が生じる。そのため、面白味が一層増すこととなる。
【００１３】
手段３．手段１又は２において、前記識別情報の複数回の変動停止表示は、特別の条件が満たされたときに行われるものであることを特徴とする遊技機。上記手段によれば、識別情報の複数回の変動停止表示に稀少価値が生じうる。
【００１４】
手段４．手段１〜３のいずれかにおいて、前記識別情報の複数回の変動停止表示は、通常の変動停止態様と同じ又は同等の態様で行われることを特徴とする遊技機。上記手段によれば、識別情報の複数回の変動停止表示が行われていることに遊技者が気が付かない場合が生じ、遊技内容にさらに厚みが増す。
【００１５】
手段５．手段１〜３のいずれかにおいて、前記識別情報の複数回の変動停止表示は、通常の変動停止態様とは異なった態様で行われることを特徴とする遊技機。上記手段によれば、識別情報の複数回の変動停止表示が行われていることに遊技者が気が付きやすく、それに気づいた遊技者は、驚き、期待感を抱きうる。
【００１６】
手段６．手段１〜５のいずれかにおいて、前記識別情報の複数回の変動停止表示を遊技者に示唆する示唆手段を設けたことを特徴とする遊技機。上記手段によれば、示唆手段によって、前記識別情報の変動停止表示が複数回行われること又は行われていることを知った遊技者は、得をした気分になり、しかも、何か遊技者にとって望ましいことが行われるのではないかという期待感を抱きうる。
【００１７】
手段７．手段６において、前記示唆手段は、前記複数回の識別情報の変動停止表示に際し、予め定められた所定識別情報の停止表示を行うものであることを特徴とする遊技機。
【００１８】
手段８．手段６又は７において、前記可変表示装置は、複数の識別情報を変動表示可能な複数の識別情報列を備えているとともに、前記示唆手段は、前記複数回の識別情報の変動停止表示に際し、少なくとも１回停止表示される識別情報に予め定められた法則性又は規則性を付与せしめるものであることを特徴とする遊技機。
【００１９】
手段９．手段８において、前記法則性又は規則性は、前記特定表示態様とは異なり、かつ、特定表示態様に近似した性質（遊技者にとって惜しい性質）を有しているものであることを特徴とする遊技機。
【００２０】
手段１０．手段６〜９のいずれかにおいて、前記示唆手段は、前記複数回の識別情報の変動停止表示に際し、前記識別情報とは別の、特有の表示対象を表示するものであることを特徴とする遊技機。但し、「複数回の識別情報の変動停止表示に際し」とあるのは、個々の識別情報の変動開始時、変動中、停止時のいずれをも含む趣旨である。
【００２１】
手段１１．手段１０において、前記特有の表示対象は、キャラクタを含んでいることを特徴とする遊技機。
【００２２】
手段１２．手段１０又は１１において、前記特有の表示対象は、背景画像を含んでいることを特徴とする遊技機。
【００２３】
手段１３．手段１０〜１２のいずれかにおいて、前記示唆手段は前記特有の表示対象を変化表示するものであることを特徴とする遊技機。
【００２４】
手段１４．手段１３において、前記特有の表示対象の変化表示には、ストーリー性が付与されていることを特徴とする遊技機。
【００２５】
手段１５．手段６〜１４のいずれかにおいて、前記示唆手段は、前記複数回の識別情報の変動停止表示に際し、該識別情報の少なくとも一部が特定の動作変化を行うかの如く表示を行うものであることを特徴とする遊技機。
【００２６】
手段１６．手段６〜１５のいずれかにおいて、前記示唆手段は、前記複数回の識別情報の変動停止表示に際し、該識別情報が特有の変動態様で変動されるよう表示を行うものであることを特徴とする遊技機。
【００２７】
手段１７．手段６〜１６のいずれかにおいて、前記示唆手段は、音声及び光の少なくとも一方で、前記識別情報の複数回の変動停止表示を遊技者に示唆するものであることを特徴とする遊技機。
【００２８】
手段１８．手段６〜１７のいずれかにおいて、前記示唆手段は、前記複数回のうち１回の変動停止期間中にのみ前記識別情報の複数回の変動停止表示を示唆するものであることを特徴とする。
【００２９】
手段１９．手段６〜１８のいずれかにおいて、前記識別情報の変動停止表示が複数回行われる場合以外にも、前記示唆手段による示唆と同様の、或いは、類似の疑似的示唆を行いうるようにしたことを特徴とする遊技機。
【００３０】
手段２０．手段１〜１９のいずれかにおいて、さらに、少なくとも前記可変表示装置において識別情報の変動表示が行われている間、該変動表示を前記可変表示装置以外にて報知する変動報知手段を設けるとともに、前記識別情報の変動停止表示が複数回行われる際には、前記識別情報が一旦停止表示される毎に、前記変動報知手段による報知をも一旦停止させるようにしたことを特徴とする遊技機。
【００３１】
手段２１．手段１〜１９のいずれかにおいて、さらに、少なくとも前記可変表示装置において識別情報の変動表示が行われている間、該変動表示を前記可変表示装置以外にて報知する変動報知手段を設けるとともに、前記識別情報の変動停止表示が複数回行われる際には、前記識別情報が一旦停止表示されたとしても、前記変動報知手段による報知を一旦停止させることなく継続するようにしたことを特徴とする遊技機。
【００３２】
手段２２．手段１〜２１のいずれかにおいて、前記遊技状況検出手段による検出結果に基づく所定の契機の発生の回数を記憶するとともに、前記可変表示装置において識別情報の変動表示が開始されたことに基づいて前記回数を減算せしめる記憶手段を設けるとともに、前記所定の契機の１回の発生によって、前記識別情報の変動停止表示が複数回行われている間は、前記回数の減算を禁止するようにしたことを特徴とする遊技機。
【００３３】
手段２３．手段２２において、前記識別情報の複数回の変動停止表示は、前記記憶手段における回数が所定回数以上のときにのみ許容されるようにしたことを特徴とする遊技機。
【００３４】
手段２４．手段２２又は２３において、前記所定の契機の１回の発生によって行われる前記識別情報の複数回の変動停止表示の回数は、前記記憶手段における回数に応じて決定されるようにしたことを特徴とする遊技機。
【００３５】
手段２５．手段２２〜２４のいずれかにおいて、前記記憶手段における回数に基づく残り変動回数を、遊技者に対し報知する残り変動回数報知手段を設けたことを特徴とする遊技機。
【００３６】
手段２６．手段２５において、前記識別情報の複数回の変動停止表示があった場合には、残り変動回数報知手段の報知態様を変更させないようにしたことを特徴とする遊技機。
【００３７】
手段２７．手段２５において、前記識別情報の複数回の変動停止表示があった場合には、残り変動回数報知手段の報知態様を疑似的に変更させるようにしたことを特徴とする遊技機。
【００３８】
手段２８．手段２７において、前記疑似的な変更は、ランプの仮消灯又は明度の変更であることを特徴とする遊技機。
【００３９】
手段２９．手段２７又は２８において、前記識別情報の複数回の変動停止表示終了後は、前記残り変動回数報知手段の報知態様を、前記疑似的な変更がなかったかの如くするようにしたことを特徴とする遊技機。
【００４０】
手段３０．手段２５において、前記識別情報の複数回の変動停止表示を行うべき前記所定の契機の１回の発生があった場合、前記残り変動回数報知手段の報知態様を、前記複数回分増やすようにしたことを特徴とする遊技機。
【発明の効果】
【００４１】
本発明によれば、識別情報を変動表示しうる可変表示装置を備えたパチンコ機等の遊技機において、興趣の飛躍的な向上を図ることができるという優れた効果を奏する。
【図面の簡単な説明】
【００４２】
【図１】一実施の形態におけるパチンコ機を示す正面図である。
【図２】（ａ）は表示部の表示状態（変動時）の例を示す模式図であり、（ｂ）は大当たり状態の１態様を示す模式図であり、（ｃ）はリーチ状態の１態様を示す模式図である。
【図３】図柄乱数バッファの概念を説明する図表である。
【図４】図柄乱数エリアの概念を説明する図表である。
【図５】停止図柄エリアの概念を説明する図表である。
【図６】（ａ）は乱数カウンタの概念を説明する図表であり、（ｂ）はリーチ種別決定カウンタの概念を説明する図表であり、（ｃ）はノーマル外れリーチ変動用乱数カウンタの概念を説明する図表である。
【図７】制御装置により実行される「乱数振分けルーチン」を示すフローチャートである。
【図８】「格納処理ルーチン」を示すフローチャートである。
【図９】「特別電動役物制御ルーチン」の一部を示すフローチャートである。
【図１０】「特別電動役物制御ルーチン」の一部であって、図９の続きを示すフローチャートである。
【図１１】「変動開始処理ルーチン」を示すフローチャートである。
【図１２】「ノーマル外れリーチ変動回数・停止図柄獲得処理ルーチン」を示すフローチャートである。
【図１３】「ノーマル外れリーチ変動処理ルーチン」を示すフローチャートである。
【図１４】（ａ）はノーマル外れリーチ変動回数設定テーブルを、（ｂ）は外れリーチ第１停止図柄，外れリーチ第２停止図柄設定テーブルを、（ｃ）は外れリーチ第１停止図柄設定テーブルをそれぞれ示す図表である。
【図１５】（ａ）〜（ｄ）は、ノーマル外れリーチ変動に際し停止表示される図柄を説明する表示部の模式図である。
【図１６】別の実施の形態におけるパチンコ機を示す正面図である。
【発明を実施するための形態】
【００４３】
以下に、パチンコ遊技機（以下、単に「パチンコ機」という）を具体化した一実施の形態を、図面に基づいて詳細に説明する。
【００４４】
なお、周知のように、パチンコ機１は、外枠と、該外枠の前部に設けられ外枠の一側部にて開閉可能に設けられた前面枠とを備えている。また、その前面枠の前面側にはガラス扉枠が開閉自在に設けられている。前面枠の後側（ガラス扉枠の奥、外枠の内側）には、遊技盤２が着脱可能に装着されている。この遊技盤２は内レール、外レール等を備え、これらのレールは、遊技球発射装置によって発射された遊技球５を、遊技盤２の上部に案内する。また、ガラス扉枠の下側において、前面枠には前飾枠が開閉可能に設けられ、前飾枠には、上受皿が設けられている。一方、前面枠の下部には、前記上受皿よりも下方位置にて下受皿が設けられているとともに、遊技球発射装置を構成するハンドルが設けられている。
【００４５】
図１に示すように、パチンコ機１の遊技盤２には、作動口３及び大入賞口４が設けられている。作動口３は、遊技球５の通路を備えており、その通路入口には羽根６が開閉可能に支持されている。大入賞口４の奥には、シーソー７が設けられており、その右側にはＶゾーン８が、左側には入賞通路９が設けられている（左右逆でもよい）。そして、大入賞口４に入賞した遊技球５は、シーソー７上を転がって、Ｖゾーン８又は入賞通路９のいずれか一方を通って図示しない入賞球処理装置の方へと導かれる。また、大入賞口４の前には、シャッタ１１が設けられている。このシャッタ１１は、大入賞口４の側部に設けられた大入賞口用ソレノイド１２により作動させられ、大入賞口４を開閉する。詳しくは、当該ソレノイド１２が励磁状態となることにより、シャッタ１１が略水平に傾き、これにより大入賞口４が開かれる。また、ソレノイド１２が非励磁状態となることにより、シャッタ１１が略垂直状態となり、これにより大入賞口４は閉鎖される。
【００４６】
前記大入賞口４の一側部には、シーソー用ソレノイド１０が設けられている。シーソー用ソレノイド１０は通常、非励磁状態となっており、この状態においては、遊技球５がＶゾーン８を通過するようにシーソー７を傾けている。また、シーソー用ソレノイド１０が励磁状態となることにより、シーソー７は、遊技球５が入賞通路９を通過するように傾動させられる。本実施の形態では、シャッタ１１が開状態において、遊技球５が１つでもＶゾーン８を通過した場合には、シーソー用ソレノイド１０が励磁される。そして、シャッタ１１が閉じられることにより、シーソー用ソレノイド１０が非励磁状態となる。
【００４７】
遊技盤２の中央部分には、可変表示装置としての特別図柄表示装置（以下、単に「表示装置」という）１３が組込まれている。表示装置１３は、液晶ディスプレイ（ＬＣＤ）よりなる表示部１３ａを備えており、ここに複数の図柄列が表示される。図２に示すように、本実施の形態では、これらの図柄列として左図柄列１４、中図柄列１５及び右図柄列１６の３つの図柄列が表示されるが、それ以外の数の図柄列が表示されてもよい。
【００４８】
図２に示すように、各図柄列１４〜１６は、それぞれ複数個の図柄１７Ａ〜１７Ｈによって構成されている。各図柄１７Ａ〜１７Ｈは、それぞれ「１」〜「８」の数字によって構成され、これらの数字は昇順に配列されている。なお、図柄１７Ａ〜１７Ｈの数は上記例に何ら限定されるものではなく、また、図柄の種類も数字図柄に限定されることなく、文字図柄や、絵図柄により構成されていてもよい。これらの図柄１７Ａ〜１７Ｈは、特別遊技図柄としての大当たり図柄、外れリーチ図柄及び外れ図柄のいずれかになり得る。もちろん、これらの間に外れ図柄にのみなりうる図柄を配置してもよい。
【００４９】
通常変動に際しては、各図柄列１４〜１６においては、各図柄１７Ａ〜１７Ｈがスクロールすることにより変動表示される。より詳しくは、各図柄１７Ａ〜１７Ｈは上から下へとスクロール表示される。
【００５０】
本実施の形態では、図２（ｂ）に示すように、中央の１本の横ラインによって大当たりラインＬが構成されている（１ラインと称される）。つまり、各図柄列１４〜１６に１つずつ設けられた有効枠（該有効枠が大当たりラインＬを構成するともいえる）に図柄１７Ａ〜１７Ｈが表示される態様となっている。なお、本実施の形態では、各図柄列１４〜１６の各有効枠の上下には、有効枠に表示される図柄の次の図柄及び１つ前の図柄も併せて表示されるようになっている。但し、上記１ラインに限定されることなく、２ライン、３ライン、或いは５ライン以上の大当たりラインを有していても何ら差し支えない。
【００５１】
図２（ａ）に示すように、特別図柄表示装置１３の表示部１３ａでは、各図柄列１４〜１６の図柄変動（回転変動）が、遊技球５の作動口３への入賞に基づいて開始させられる。また、大当たり図柄、外れリーチ図柄、外れ図柄の中から１つが選択され、これが停止図柄として設定される。停止図柄とは、各図柄列１４〜１６が図柄変動を停止したときに有効枠に表示される図柄である。本実施の形態では、図柄変動は、左図柄列１４、右図柄列１６、中図柄列１５の順に停止させられるが、これはあくまでも１例にすぎず、別の順序で停止させられるようにしてもよい。
【００５２】
大当たり図柄は、リーチ状態を経た後、遊技者に有利な特別遊技状態としての大当たり状態を発生させるための図柄である。詳しくは、図２（ｂ）に示すように、全ての図柄列１４〜１６の変動が停止させられたとき、表示されている図柄１７Ａ〜１７Ｈの組合せが、予め定められた大当たりの組合せとなる場合がある。すなわち、同一種類の図柄１７Ａ〜１７Ｈが大当たりラインＬに沿って並んだときに、同一図柄１７Ａ〜１７Ｈの組合せ（例えば、図２（ｂ）では「３」、「３」、「３」の図柄１７Ｃ）となる場合がある。この組合せを構成する図柄が「大当たり図柄」である。大当たりの組合せが成立することを必要条件に、特別電動役物が作動し（大入賞口４が開かれ）、遊技者にとって有利な大当たり状態が発生させられる。すなわち、より多くの景品球を獲得することが可能となる。
【００５３】
また、例えば図２（ｃ）に示すように、リーチ状態とは、大当たり直前の状態をいう。リーチ状態には、右図柄列１６の図柄変動が、大当たりラインＬ上において左図柄列１４の停止図柄と同一種類の図柄で停止する状態が含まれる。図２（ｃ）に示す例では、大当たりラインＬ上で停止している左・右両図柄列１４，１６の図柄１７Ａ〜１７Ｈが共に「３」の図柄１７Ｃとなっている。
【００５４】
上記のリーチ状態には、中図柄列１５の図柄変動が、最終的に左・右両図柄列１４，１６の停止図柄と同一種類の図柄（大当たり図柄）で停止して大当たり状態になるもの以外にも、異なる種類の図柄（これを「外れリーチ図柄」という）で停止して、大当たり状態とならないもの（以下、「外れリーチ状態」という）が含まれる。さらには、中図柄列１５の図柄変動が一旦停止した後（一旦停止しなくてもよい）、同一種類の図柄１７Ａ〜１７Ｈが大当たりラインＬに沿って並んだ状態で、再度全図柄列１４〜１６が変動し、その後全図柄列１４〜１６の図柄１７Ａ〜１７Ｈが同時に停止するような場合（全回転再変動リーチとも称される）も含まれる。
【００５５】
上記リーチ状態においては、種々のリーチパターンが設定されている。リーチパターンとしては、「ノーマルリーチ」、「フラッシュリーチ」、「拡大リーチ」等の種々のリーチパターンが設定されている。これらリーチパターンのうち、「ノーマルリーチ」以外のリーチパターンは、いわゆる「スーパーリーチ」と称されるものである。「スーパーリーチ」の動作が開始された場合には、一般に「ノーマルリーチ」の場合に比べて、大当たり状態が発生する期待値（大当たり期待値）が高くなるようになっている。また、「スーパーリーチ」においても、各リーチパターンによって大当たり期待値が異なったものとなっている。
【００５６】
遊技球５の作動口３への入賞に基づいて各図柄列１４〜１６の図柄変動が開始させられることはすでに説明したが、この変動表示中にさらに遊技球５が作動口３に入賞した場合には、その分の変動表示は、原則として現在行われている変動表示の終了後に行われる。つまり、変動表示が待機（保留）される。この保留される変動表示の最大回数は、パチンコ機の機種毎に決められている。本実施の形態では保留最大回数が４回に設定されているが、これに限られるものではない。
【００５７】
図１に示すように、表示装置１３において、表示部１３ａの上方には、遊技者に保留状態（記憶状態）を可視表示するための発光ダイオード（ＬＥＤ）からなる保留ランプ１８ａ，１８ｂ，１８ｃ，１８ｄが組み込まれている。保留ランプ１８ａ〜１８ｄの数は、前述した保留最大回数と同じ（この場合４個）である。保留ランプ１８ａ〜１８ｄは、原則として変動表示の保留毎に点灯させられ、その保留に対応した変動表示の実行に伴い消灯させられる。このほかにも、パチンコ機１の複数箇所には、遊技効果を高めるための各種ランプが取付けられている。これらのランプは、遊技の進行に応じて点灯状態（消灯、点灯、点滅等）が変えられる。さらに、パチンコ機１には、遊技の進行に応じて効果音を発生する図示しないスピーカが設けられている。
【００５８】
遊技者の操作に応じて変化するパチンコ機１の遊技状態を検出するべく、本実施の形態では、遊技盤２には、作動口用スイッチ２１、Ｖゾーン用スイッチ２２及びカウントスイッチ２３がそれぞれ取付けられている。作動口用スイッチ２１は、遊技球５の作動口３への入賞を検出し、Ｖゾーン用スイッチ２２は遊技球５の大入賞口４のうちのＶゾーン８への入賞を検出し、カウントスイッチ２３は、遊技球５の大入賞口４への入賞を検出する。
【００５９】
本実施の形態では、各スイッチ２１〜２３の検出結果に基づきソレノイド１０，１２、表示装置１３、各保留ランプ１８ａ〜１８ｄ等をそれぞれ駆動制御するために制御装置２４が設けられている。制御装置２４は、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。ＲＡＭは、ＣＰＵによる演算結果を、図３に示す図柄乱数バッファ３１〜３６、図４に示す図柄乱数エリア４１（ｉ）〜４５（ｉ）、図５に示す停止図柄エリア４６〜４８等に一時的に記憶する。
【００６０】
図３に示すように、図柄乱数バッファは、左・中・右の３つの外れ図柄乱数バッファ３１，３２，３３と、左・中・右の３つの外れリーチ図柄乱数バッファ３４，３５，３６とによって構成されている。図４に示すように、図柄乱数エリアは、５つの内部乱数エリア４１（ｉ）と、５つの外れリーチ乱数エリア４２（ｉ）と、５つの左外れ図柄乱数エリア４３（ｉ）と、５つの中外れ図柄乱数エリア４４（ｉ）と、５つの右外れ図柄乱数エリア４５（ｉ）とによって構成されている。ｉは、５つずつ存在する各図柄乱数エリアを区別するためのものであり、「０」、「１」、「２」、「３」、「４」の値をとる。ｉの各値は、保留されている変動表示の回数に対応している。また、図５に示すように、停止図柄エリアは、左・中・右の各停止図柄乱数エリア４６，４７，４８によって構成されている。
【００６１】
次に、前記のように構成されたパチンコ機１の作用及び効果について説明する。図７〜図１３のフローチャートは、制御装置２４によって実行される各種ルーチンを示している。これらのルーチンの処理は、カウンタ群及び入賞判定フラグＦＥ等に基づいて実行される。カウンタ群は、ラウンドカウンタＣＲ、保留カウンタＣＨ、入賞カウンタＣＥ、内部乱数カウンタＣＩ、外れリーチ乱数カウンタＣＯ、大当たり図柄乱数カウンタＣＢ、左・中・右の各図柄乱数カウンタＣＤＬ，ＣＤＣ，ＣＤＲ、リーチ種別決定カウンタＣＶ及びノーマル外れリーチ変動用乱数カウンタＣＲＨＺ等よりなっている。
【００６２】
なお、ラウンドカウンタＣＲは、ラウンド回数をカウントするためのものであり、入賞カウンタＣＥは大入賞口４への遊技球５の入賞個数をカウントするためのものである。また、保留カウンタＣＨは変動表示の保留回数をカウントするためのものであり、「０」，「１」，「２」，「３」，「４」の値を順にとる。これらの値は、前述した図柄乱数エリア４１（ｉ）〜４５（ｉ）の「（ｉ）」に対応している。従って、ＣＨ＝０は、保留されていない状態を意味する。
【００６３】
図６に示すように、内部乱数カウンタＣＩは、表示装置１３での大当たり状態を決定するためのものである。また、外れリーチ乱数カウンタＣＯは外れリーチ状態時の表示を行うか否かを決定するためのものであり、大当たり図柄乱数カウンタＣＢは大当たり図柄を決定するためのものである。これらのカウンタＣＩ，ＣＯ，ＣＢは、それぞれ所定時間（例えば「２ｍｓ」）毎に値を所定範囲内で更新する。各値は、所定の条件に従って乱数として読み出される。また、各カウンタＣＩ，ＣＯ，ＣＢは、各値がそれぞれ特定の値になった場合に、初期値に戻すようになっている。
【００６４】
左・中・右の各図柄乱数カウンタＣＤＬ，ＣＤＣ，ＣＤＲは、停止図柄等を決定するためのものである。左図柄乱数カウンタＣＤＬは、所定時間（例えば「２ｍｓ」）毎に値を所定範囲内で更新し、特定の値になると初期値に戻す。中図柄乱数カウンタＣＤＣは、左図柄乱数カウンタＣＤＬが一巡する毎に値を所定範囲内で更新し、特定の値になると初期値に戻す。右図柄乱数カウンタＣＤＲは、中図柄乱数カウンタＣＤＣが一巡する毎に値を所定範囲内で更新し、特定の値になると初期値に戻す。
【００６５】
また、リーチ種別決定カウンタＣＶは、上述した複数種類のリーチパターンのうちの１つを選択するために用いられるものであり、例えば左図柄乱数カウンタＣＤＬが一巡する毎に値（乱数値）を更新し、特定の値になると初期値に戻す。ただし、各リーチパターンには重み付けがなされており、各リーチパターンの選択される確率は個々に異なったものとなっている。また、本実施の形態においては、大当たりとなる場合（大当たり時）と、外れとなる場合（外れリーチ時）とで各リーチパターンの選択される確率は個々に異なったものとなっている。
【００６６】
併せて、入賞判定フラグＦＥは、Ｖゾーンへの入賞の有無を判定するために用いられるものである。同フラグＦＥは、入賞なしの場合に「０」に設定され、入賞ありの場合に「１」に設定される。
【００６７】
加えて、本実施の形態では、ノーマル外れリーチ変動処理なるものが行われるようになっている。これは、作動口３に遊技球５が入賞しない場合であっても、特別の条件が満たされることにより、制御装置２４が表示装置１３での図柄１７Ａ〜１７Ｈの変動表示を行わせるものである。より詳しくは、制御装置２４は、ノーマル外れリーチ変動回数ＲＨＣＮＴを獲得し、その獲得したノーマル外れリーチ変動回数ＲＨＣＮＴの分だけ、作動口３への遊技球５の入賞とは別に、いわば疑似的に表示装置１３での図柄１７Ａ〜１７Ｈの変動表示を行うのである。図１４（ａ）〜（ｃ）に示すように、ノーマル外れリーチ変動用乱数カウンタＣＨＭＺは、「００」〜「９９」までの値をとり、そのときどきのカウント値に基づいて、ノーマル外れリーチ変動回数ＲＨＣＮＴや、該リーチ変動処理に際しての停止図柄（ＲＨＺ１，ＲＨＺ２）が設定されるようになっている。なお、このノーマル外れリーチ変動に際しては、変動表示が所定の図柄の組み合わせ（「７」「８」「７」等の外れリーチ図柄）で停止されやすいように設定されている。これらについては後述するフローチャートの説明において詳述する。
【００６８】
さて、図７のフローチャートは、上述した各カウンタＣＩ，ＣＯ，ＣＢ，ＣＬ，ＣＤＬ，ＣＤＣ，ＣＤＲ，ＣＶ，ＣＲＨＺ等の更新後に、図柄乱数カウンタＣＤＬ，ＣＤＣ，ＣＤＲの値（乱数）の組合せを分別し（振分け）、その振分けられた値を対応する図柄乱数バッファ３１〜３６に格納するための「乱数振分けルーチン」を示している。このルーチンは、パチンコ機１の電源投入後、所定時間（２ｍｓ）毎に実行される。このルーチンが開始されると、制御装置２４はまずステップＳ１において、内部乱数カウンタＣＩ、外れリーチ乱数カウンタＣＯ、大当たり図柄乱数カウンタＣＢにそれぞれ「１」を加算する（更新する）。
【００６９】
また、ステップＳ２において、左図柄乱数カウンタＣＤＬに「１」を加算する。中・右図柄乱数カウンタＣＤＣ，ＣＤＲに関しては、それぞれ左・中図柄乱数カウンタＣＤＬ，ＣＤＣの値に応じて更新処理を行う。詳しくは、左図柄乱数カウンタＣＤＬが初期値に戻されるタイミングであれば中図柄乱数カウンタＣＤＣに「１」を加算し、それ以外のタイミングであれば同カウンタＣＤＣの値を維持する。また、中図柄乱数カウンタＣＤＣが初期値に戻されるタイミングであれば右図柄乱数カウンタＣＤＲに「１」を加算し、それ以外のタイミングであれば同カウンタＣＤＲの値を維持する。さらに、ステップＳ３において、制御装置２４は、リーチ種別決定カウンタＣＶを更新する。また、このとき、ノーマル外れリーチ変動用乱数カウンタＣＲＨＺをも更新する。
【００７０】
次に、ステップＳ４において、図柄乱数カウンタＣＤＬ，ＣＤＣ，ＣＤＲの値の組合せが、予め定められた「外れ図柄の組合せ」であるか否かを判断する。そして、この条件が満たされていると、ステップＳ５において各図柄乱数カウンタＣＤＬ，ＣＤＣ，ＣＤＲの値を、対応する外れ図柄乱数バッファ３１，３２，３３に格納する。ここで、対応する外れ図柄乱数バッファ３１〜３３とは、具体的には左図柄乱数カウンタＣＤＬに関しては左外れ図柄乱数バッファ３１を指し、中図柄乱数カウンタＣＤＣに関しては中外れ図柄乱数バッファ３２を指し、右図柄乱数カウンタＣＤＲに関しては右外れ図柄乱数バッファ３３を指すものとする（後述するステップＳ７に関しても同様）。そして、制御装置２４は、ステップＳ５の処理を実行した後、その後の処理を一旦終了する。
【００７１】
一方、前記ステップＳ４の条件が満たされていない場合には、ステップＳ６において、図柄乱数カウンタＣＤＬ，ＣＤＣ，ＣＤＲの値の組合せが、予め定められた「外れリーチ図柄の組合せ」であるか否かを判断する。そして、この条件が満たされていると、ステップＳ７において各図柄乱数カウンタＣＤＬ，ＣＤＣ，ＣＤＲの値を、対応する外れリーチ図柄乱数バッファ３４，３５，３６に格納し、その後の処理を一旦終了する。
【００７２】
なお、ステップＳ６の条件が満たされていない場合には、前記ステップＳ５，７のいずれの処理をも行うことなく、「乱数振分けルーチン」を終了する。この場合とは、各図柄乱数カウンタＣＤＬ，ＣＤＣ，ＣＤＲの値の組合せが、外れ図柄、外れリーチ図柄のいずれの組合せでもない場合、すなわち、大当たり図柄の組合せの場合である。
【００７３】
このように、「乱数振分けルーチン」では、所定時間毎に３つの図柄乱数カウンタＣＤＬ，ＣＤＣ，ＣＤＲの値の組合せがチェックされる。そして、外れ図柄の組合せの場合には、外れ図柄乱数バッファ３１〜３３に乱数が格納され、外れリーチ図柄の場合には、外れリーチ図柄乱数バッファ３４〜３５に乱数が格納される。また、大当たり図柄の組合せの場合には、乱数はどの図柄乱数バッファ３１〜３６にも格納されない。
【００７４】
次に、図８のフローチャートに示す「格納処理ルーチン」について説明する。このルーチンの主な機能は、遊技球５が作動口３に入賞する毎に、乱数カウンタＣＩ，ＣＯ，ＣＤＬ，ＣＤＣ，ＣＤＲの値を図柄乱数エリア４１（ｉ）〜４５（ｉ）に格納することである。
【００７５】
当該「格納処理ルーチン」が開始されると、制御装置２４は、ステップＳ１０において、作動口用スイッチ２１の検出結果に基づき、遊技球５が作動口３に入賞したか否かを判定する。そして、この判定条件が満たされていない場合には、その後の処理を一旦終了し、満たされている場合には、ステップＳ１１において、保留カウンタＣＨの値が最大保留回数（この場合「４」）よりも小さいか否かを判定する。
【００７６】
保留カウンタＣＨの値が最大保留回数よりも小さい場合には、ステップＳ１２において、保留カウンタＣＨに「１」を加算する。また、続くステップＳ１３において、制御装置２４は対応する保留ランプ（１８ａから１８ｄのうちの１つ）を点灯させ、ステップＳ１４へ移行する。一方、前記ステップＳ１１の判定条件が満たされていない場合には、前述したステップＳ１２以降の処理を行うことなくその後の処理を一旦終了する。従って、図柄変動表示は、４回までしか保留されず、それ以上の入賞があっても保留は記憶されない。
【００７７】
ステップＳ１４において、制御装置２４は、内部乱数カウンタＣＩの値を内部乱数エリア４１（ｉ）に格納する。また、次のステップＳ１５において、外れリーチ乱数カウンタＣＯの値を、外れリーチ乱数エリア４２（ｉ）に格納する。さらに、ステップＳ１６において、制御装置２４は、左・中・右の各外れ図柄乱数バッファ３１〜３３の値（ＣＤＬ，ＣＤＣ，ＣＤＲ）を、対応する左・中・右の各外れ図柄乱数エリア４３（ｉ）〜４５（ｉ）に格納し、その後の処理を一旦終了する。
【００７８】
このように、「格納処理ルーチン」においては、乱数カウンタＣＩ，ＣＯ，ＣＤＬ，ＣＤＣ，ＣＤＲの値が各図柄乱数エリア４１（ｉ）〜４５（ｉ）に格納される。なお、ステップＳ１４〜ステップＳ１６では、例えばステップＳ１２での更新後の保留カウンタＣＨの値が「３」であれば、内部乱数エリア４１（ｉ＝３）、外れリーチ乱数エリア４２（ｉ＝３）、左外れ図柄乱数エリア４３（ｉ＝３）、中外れ図柄乱数エリア４４（ｉ＝３）、右外れ図柄乱数エリア４５（ｉ＝３）が、今回制御周期での格納場所となる。
【００７９】
次に、図９、図１０のフローチャートに示す「特別電動役物制御ルーチン」について説明する。このルーチンは、前述した「乱数振分けルーチン」、「格納処理ルーチン」等の演算結果を用いて特別電動役物や、特別図柄表示装置１３等を制御するためのものであり、パチンコ機１の電源投入後、所定時間毎に実行される。
【００８０】
この「特別電動役物制御ルーチン」が開始されると、制御装置２４はまずステップＳ２０において、保留カウンタＣＨの値が「０」でないか否かを判定する。そして、否定判定された場合、つまり、保留カウンタＣＨの値が「０」の場合には、その後の処理を一旦終了する。これに対し、前記判定条件が満たされている（ＣＨ＝１，２，３，４）場合には、ステップＳ３０において、「ｉ」を「０」に設定し、次のステップＳ４０において保留カウンタＣＨが「ｉ」と同一でないか否かを判定する。
【００８１】
そして、この判定条件が満たされている場合（ＣＨ≠ｉ）には、ステップＳ５０において、内部乱数エリア４１（ｉ＋１）、外れリーチ乱数エリア４２（ｉ＋１）、外れ図柄乱数エリア４３（ｉ＋１）〜４５（ｉ＋１）の各データを、１つ前のエリア４１（ｉ）〜４５（ｉ）にそれぞれシフトする。次いで、ステップＳ６０において、制御装置２４は、「ｉ」に「１」を加算し、ステップＳ４０へ戻る。
【００８２】
一方、ステップＳ４０の判定条件が満たされない場合（ＣＨ＝ｉ）には、ステップＳ７０へ移行し、保留ランプ１８ａ〜１８ｄのうち前記保留カウンタＣＨに対応するものを消灯させる。また、次のステップＳ８０において保留カウンタＣＨから「１」を減算する。
【００８３】
次に、制御装置２４は、ステップＳ９０において、図柄の変動開始処理を実行する。詳しくは、図１１の「変動開始処理ルーチン」に示すように、ステップＳ９０１において、内部乱数カウンタＣＩの値が大当たり値であるか否かを判定する。そして、内部乱数カウンタＣＩの値が大当たり値の場合には、ステップＳ９０２において、大当たり値に対応する大当たり図柄を停止図柄としてメモリに記憶し、ステップＳ９０５へ移行する。
【００８４】
一方、ステップＳ９０１における判定条件が満たされていないと、ステップＳ９０３において、外れリーチ乱数カウンタＣＯの値が予め定められた外れリーチ値と同じであるか否かを判定する。そして、外れリーチ乱数カウンタＣＯの値が外れリーチ値と同一である場合には、ステップＳ９０４において、外れリーチ値に対応する図柄（外れリーチ図柄）を停止図柄としてメモリに記憶し、ステップＳ９０５へ移行する。
【００８５】
また、ステップＳ９０３の判定条件が満たされていない場合には、ステップＳ９０６において、ステップＳ１６での外れ図柄を停止図柄としてメモリに記憶し、ステップＳ９０７へ移行する。
【００８６】
さて、ステップＳ９０２又はステップＳ９０４から移行して、ステップＳ９０５においては、リーチパターンを取得する。すなわち、上述した「ノーマルリーチ」、「フラッシュリーチ」、「拡大リーチ」等の種々のリーチパターンのうちのいずれかをリーチ種別決定カウンタＣＶに基づいて決定する。
【００８７】
そして、ステップＳ９０５又はステップＳ９０６から移行して、ステップＳ９０７においては、ノーマル外れリーチ変動回数獲得処理を実行する。
【００８８】
より詳しくは、図１２の「ノーマル外れリーチ変動回数・停止図柄獲得処理ルーチン」に示すように、ステップＳ９０８１において、制御装置２４は、ノーマル外れリーチ変動回数ＲＨＣＮＴを獲得する。この変動回数ＲＨＣＮＴの獲得に際しては、図１４（ａ）に示すノーマル外れリーチ変動回数設定テーブルが参酌される。すなわち、今回が大当たり時であれば、現在のノーマル外れリーチ変動用乱数カウンタＣＲＨＺの値が「００」〜「４９」の範囲内にあるときには、ノーマル外れリーチ変動回数ＲＨＣＮＴとして「０」回が設定（獲得）される。この場合には、ノーマル外れリーチ変動は行われない。また、現在のノーマル外れリーチ変動用乱数カウンタＣＲＨＺの値が「５０」〜「５９」の範囲内にあるときには、ノーマル外れリーチ変動回数ＲＨＣＮＴとして「１」回が設定される。この場合には、１回のノーマル外れリーチ変動が実行される。さらに、現在のノーマル外れリーチ変動用乱数カウンタＣＲＨＺの値が「６０」〜「９９」の範囲内にあるときには、ノーマル外れリーチ変動回数ＲＨＣＮＴとして「２」回が設定される。この場合には、連続して２回のノーマル外れリーチ変動が実行される。
【００８９】
また、今回が外れリーチ時であれば、現在のノーマル外れリーチ変動用乱数カウンタＣＲＨＺの値が「００」〜「７９」の範囲内にあるときには、ノーマル外れリーチ変動回数ＲＨＣＮＴとして「０」回が設定され、「８０」〜「９４」の範囲内にあるときには、ノーマル外れリーチ変動回数ＲＨＣＮＴとして「１」回が設定され、「９５」〜「９９」の範囲内にあるときには、ノーマル外れリーチ変動回数ＲＨＣＮＴとして「２」回が設定される。さらに、今回が外れ時であれば、現在のノーマル外れリーチ変動用乱数カウンタＣＲＨＺの値が「００」〜「８９」の範囲内にあるときには、ノーマル外れリーチ変動回数ＲＨＣＮＴとして「０」回が設定され、「９０」〜「９６」の範囲内にあるときには、ノーマル外れリーチ変動回数ＲＨＣＮＴとして「１」回が設定され、「９７」〜「９９」の範囲内にあるときには、ノーマル外れリーチ変動回数ＲＨＣＮＴとして「２」回が設定される。このように、大当たり時には、ノーマル外れリーチ変動が実行される可能性が高く、しかも２回のノーマル外れリーチ変動が実行される可能性が高くなる。
【００９０】
次に、制御装置２４は、ステップＳ９０８２において、今回獲得したノーマル外れリーチ変動回数ＲＨＣＮＴが「２」回であるか否かを判定する。そして、肯定判定された場合には、ステップＳ９０８３において、外れリーチ第１停止図柄（残りあと１回のノーマル外れリーチ変動に際し停止される図柄）ＲＨＺ１及び外れリーチ第２停止図柄（残りあと２回のノーマル外れリーチ変動に際し停止される図柄）ＲＨＺ２を獲得する。これら停止図柄の獲得に際しては、図１４（ｂ）に示す外れリーチ第１停止図柄，外れリーチ第２停止図柄設定テーブルが参酌される。
【００９１】
すなわち、今回が大当たり時であれば、現在のノーマル外れリーチ変動用乱数カウンタＣＲＨＺの値が「００」〜「７４」の範囲内にあるときには、外れリーチ第１停止図柄ＲＨＺ１（Ｌ，Ｃ，Ｒ：左，中，右の意、以下同様）として「７」「８」「７」が設定（獲得）され、外れリーチ第２停止図柄ＲＨＺ２として「７」「８」「７」が設定される。従って、この場合には、図１５（ａ）に示すように、２回のノーマル外れリーチ変動に際し２回とも「７」「８」「７」の図柄で停止させられることとなる。
【００９２】
また、ノーマル外れリーチ変動用乱数カウンタＣＲＨＺの値が「７５」〜「８４」の範囲内にあるときには、外れリーチ第１停止図柄ＲＨＺ１及び外れリーチ第２停止図柄ＲＨＺ２として共に「５」「６」「５」が設定される。従って、この場合には、図１５（ｂ）に示すように、２回のノーマル外れリーチ変動に際し２回とも「５」「６」「５」の図柄で停止させられることとなる。さらに、ノーマル外れリーチ変動用乱数カウンタＣＲＨＺの値が「８５」〜「９４」の範囲内にあるときには、外れリーチ第１停止図柄ＲＨＺ１及び外れリーチ第２停止図柄ＲＨＺ２として共に「３」「４」「３」が設定される。従って、この場合には、図１５（ｃ）に示すように、２回のノーマル外れリーチ変動に際し２回とも「３」「４」「３」の図柄で停止させられることとなる。併せて、ノーマル外れリーチ変動用乱数カウンタＣＲＨＺの値が「９５」〜「９９」の範囲内にあるときには、外れリーチ第１停止図柄ＲＨＺ１及び外れリーチ第２停止図柄ＲＨＺ２として共に「１」「２」「１」が設定される。従って、この場合には、図１５（ｄ）に示すように、２回のノーマル外れリーチ変動に際し２回とも「１」「２」「１」の図柄で停止させられることとなる。
【００９３】
また、今回が外れリーチ時または外れ時であれば、現在のノーマル外れリーチ変動用乱数カウンタＣＲＨＺの値が「００」〜「０４」の範囲内にあるときには、外れリーチ第１停止図柄ＲＨＺ１及び外れリーチ第２停止図柄ＲＨＺ２として共に「７」「８」「７」が設定される。従って、この場合には、２回のノーマル外れリーチ変動に際し２回とも「７」「８」「７」の図柄で停止させられることとなる。また、ノーマル外れリーチ変動用乱数カウンタＣＲＨＺの値が「０５」〜「１４」の範囲内にあるときには、外れリーチ第１停止図柄ＲＨＺ１及び外れリーチ第２停止図柄ＲＨＺ２として共に「５」「６」「５」が設定される。従って、この場合には、２回のノーマル外れリーチ変動に際し２回とも「５」「６」「５」の図柄で停止させられることとなる。さらに、ノーマル外れリーチ変動用乱数カウンタＣＲＨＺの値が「１５」〜「２４」の範囲内にあるときには、外れリーチ第１停止図柄ＲＨＺ１及び外れリーチ第２停止図柄ＲＨＺ２として共に「３」「４」「３」が設定される。従って、この場合には、２回のノーマル外れリーチ変動に際し２回とも「３」「４」「３」の図柄で停止させられることとなる。併せて、ノーマル外れリーチ変動用乱数カウンタＣＲＨＺの値が「２５」〜「９９」の範囲内にあるときには、外れリーチ第１停止図柄ＲＨＺ１及び外れリーチ第２停止図柄ＲＨＺ２として共に「１」「２」「１」が設定される。従って、この場合には、２回のノーマル外れリーチ変動に際し２回とも「１」「２」「１」の図柄で停止させられることとなる。そして、制御装置２４はその後の処理を一旦終了する。
【００９４】
一方、前記ステップＳ９０８２において否定判定された場合には、ステップＳ９０８４へ移行する。ステップＳ９０８４においては、今回獲得したノーマル外れリーチ変動回数ＲＨＣＮＴが「１」回であるか否かを判定する。そして、肯定判定された場合には、ステップＳ９０８５において、外れリーチ第１停止図柄（この場合１回しかノーマル外れリーチ変動は行われない）ＲＭＺ１を獲得する。この停止図柄の獲得に際しては、図１４（ｃ）に示す外れリーチ第１停止図柄設定テーブルが参酌される。
【００９５】
すなわち、今回が大当たり時であれば、現在のノーマル外れリーチ変動用乱数カウンタＣＲＨＺの値が「００」〜「９４」の範囲内にあるときには、外れリーチ第１停止図柄ＲＨＺ１として「７」「８」「７」が設定される。従って、この場合には、１回のノーマル外れリーチ変動に際し「７」「８」「７」の図柄で停止させられることとなる。また、ノーマル外れリーチ変動用乱数カウンタＣＲＨＺの値が「９５」〜「９９」の範囲内にあるときには、外れリーチ第１停止図柄ＲＨＺ１として「５」「６」「５」が設定される。従って、この場合には、１回のノーマル外れリーチ変動に際し「５」「６」「５」の図柄で停止させられることとなる。
【００９６】
また、今回が外れリーチ時または外れ時であれば、現在のノーマル外れリーチ変動用乱数カウンタＣＲＨＺの値が「００」〜「０４」の範囲内にあるときには、外れリーチ第１停止図柄ＲＨＺ１として「７」「８」「７」が設定される。従って、この場合には、１回のノーマル外れリーチ変動に際し「７」「８」「７」の図柄で停止させられることとなる。また、ノーマル外れリーチ変動用乱数カウンタＣＲＨＺの値が「０５」〜「９９」の範囲内にあるときには、外れリーチ第１停止図柄ＲＨＺ１として「５」「６」「５」が設定される。従って、この場合には、１回のノーマル外れリーチ変動に際し「５」「６」「５」の図柄で停止させられることとなる。そして、制御装置２４はこの「ノーマル外れリーチ変動回数・停止図柄獲得処理ルーチン」を一旦終了する。但し、ノーマル外れリーチ変動に際し、２回の変動が行われる場合に、本実施の形態では例えば「７」「８」「７」、「７」「８」「７」の如く同じ図柄が繰り返し停止表示されることとしたが、異なった図柄１７Ａ〜１７Ｈが停止表示されることとしてもよい。すなわち、外れリーチ第１停止図柄ＲＨＺ１、外れリーチ第２停止図柄ＲＨＺ２として、それぞれ異なった図柄１７Ａ〜１７Ｈの組み合わせを設定することとしてもよい。
【００９７】
さて、上記「ノーマル外れリーチ変動回数・停止図柄獲得処理ルーチン」、すなわち、「変動開始処理ルーチン」におけるステップＳ９０７の処理を実行した後、制御装置２４は、ステップＳ９０８において、前記表示装置１３の図柄変動を開始させ、「変動開始処理ルーチン」を終了する。
【００９８】
上記のように、ステップＳ９０（「変動開始処理ルーチン」）の処理を実行した後、制御装置２４は、図９のステップＳ１００において、ノーマル外れリーチ連続演出処理を実行する。詳しくは、図１３の「ノーマル外れリーチ変動処理ルーチン」に示すように、ステップＳ１００１において、制御装置２４は、今回獲得したノーマル外れリーチ変動回数ＲＨＣＮＴが「０」回であるか否かを判定する。そして、肯定判定された場合には、何らの処理をも行うことなく、この「ノーマル外れリーチ変動処理ルーチン」を一旦終了する。また、ノーマル外れリーチ変動回数ＲＨＣＮＴが「０」回でない場合には、実際にノーマル外れリーチ変動処理を行うべくステップＳ１００２へ移行する。ステップＳ１００２においては、今回獲得したノーマル外れリーチ変動回数ＲＨＣＮＴが「１」回であるか否かを判定する。そして、否定判定された場合には、今回獲得したノーマル外れリーチ変動回数ＲＨＣＮＴが「２」回であるものとして、ステップＳ１００３において、外れリーチ第２停止図柄ＲＨＺ２（上記ステップＳ９０８３で獲得した図柄）で一旦図柄１７Ａ〜１７Ｈの変動を停止させる。なお、かかる図柄１７Ａ〜１７Ｈの変動開始から停止までの期間は、ノーマル外れリーチ変動を行わない通常のノーマルリーチ（外れリーチ時）の場合と同様（スーパーリーチ等の場合は除いてもよい）、例えば約８秒程度に設定される。そして、続くステップＳ１００５において、現在のノーマル外れリーチ変動回数ＲＨＣＮＴから「１」を減算した値を、新たなノーマル外れリーチ変動回数ＲＨＣＮＴとして設定する。さらに続くステップＳ１００６においては、図柄１７Ａ〜１７Ｈの再度の変動を開始させる。但し、このときには、対応する保留ランプ１８ａ〜１８ｄの消灯は行われず、保留カウンタＣＨの減算も行われない。つまり、遊技球５の作動口３への入賞とは直接関係することなく、ステップＳ１００６での変動が行われる。
【００９９】
また、ステップＳ１００２において、肯定判定された場合には、今回獲得したノーマル外れリーチ変動回数ＲＨＣＮＴが「１」回であるか、又は当初ノーマル外れリーチ変動回数ＲＨＣＮＴが「２」回であった場合の２回目のノーマル外れリーチ変動処理を行う場合であるかのいずれかであるもの（つまり、あと１回のノーマル外れリーチ変動処理を行うもの）として、ステップＳ１００４へ移行する。そして、ステップＳ１００４において、制御装置２４は、外れリーチ第１停止図柄ＲＭＺ１（上記ステップＳ９０８３又はステップＳ９０８５で獲得した図柄）で一旦図柄１７Ａ〜１７Ｈの変動を停止させる。なお、かかる図柄１７Ａ〜１７Ｈの変動開始から停止までの期間も、上記同様例えば約８秒程度に設定される。そして、続くステップＳ１００５において、現在のノーマル外れリーチ変動回数ＲＨＣＮＴから「１」を減算した値を、新たなノーマル外れリーチ変動回数ＲＨＣＮＴとして設定する。従って、この場合には、新たなノーマル外れリーチ変動回数ＲＨＣＮＴは「０」となり、次回以降は、再度ノーマル外れリーチ変動回数ＲＨＣＮＴが「０」以外の回数が獲得されない限りステップＳ１００１で肯定判定されることとなり、ノーマル外れリーチ変動処理は行われない。そして、続くステップＳ１００６においては、図柄１７Ａ〜１７Ｈの再度の変動を開始させる。もちろん、このときにも、保留ランプ１８ａ〜１８ｄの消灯、保留カウンタＣＨの減算は行われない。その後、ステップＳ１００１で肯定判定されることにより、この「ノーマル外れリーチ変動処理ルーチン」を一旦終了する。
【０１００】
さて、ノーマル外れリーチ変動処理を実行した後、制御装置２４は、図９のステップＳ１１０において、左右両図柄列１４，１６（中図柄列１５以外）における図柄１７Ａ〜１７Ｈを、停止図柄に差替える。この停止図柄というのは、前記ステップＳ９０２，Ｓ９０４，Ｓ９０６のいずれかの処理で記憶した図柄である。また、差替え後の図柄１７Ａ〜１７Ｈが左右両図柄列１４，１６にて表示されるよう図柄変動を停止させる。
【０１０１】
次に、ステップＳ１２０において、制御装置２４は、リーチ動作処理を行う。詳しくは、ステップＳ９０５で取得したリーチパターンが、ノーマルリーチの場合には、ノーマルリーチ動作処理（背景そのままで、中図柄列１５が単純にスクロール変動される）を行う。また、例えば、リーチパターンが「フラッシュリーチ」の場合には、フラッシュリーチ動作（図柄１７Ａ〜１７Ｈをフラッシュさせながら変動表示させる）処理を行い、リーチパターンが「拡大リーチ」の場合には、拡大リーチ動作（図柄１７Ａ〜１７Ｈを拡大させた状態で１コマずつ一旦停止させながら変動表示させる）処理を行う。もちろん、キャラクタを登場させ、該キャラクタ等に各種演出を行わせることとしてもよい。
【０１０２】
上記のように、ステップＳ１２０（「リーチ動作処理ルーチン」）の処理を実行した後、制御装置２４は、ステップＳ１３０において、中図柄列１５での図柄変動を停止させる。
【０１０３】
続いて、制御装置２４は、ステップＳ１３５において、再変動処理を実行する。詳しくは、再変動処理を実行する条件（例えば、大当たり時であって、かつ、所定の乱数を獲得していること）が成立しているか否かを判定し、再変動処理実行条件が成立している場合には、前記リーチ動作処理における各リーチ動作と同じ背景で、全図柄列１４〜１６の図柄１７Ａ〜１７Ｈを同時に再変動させる。そして、所定条件が成立した後、全図柄列１４〜１６の図柄１７Ａ〜１７Ｈを停止させる。一方、再変動処理を実行する条件が成立していない場合には、何らの処理をも実行しない。
【０１０４】
さて、再変動処理を行った後、制御装置２４は、次に、ステップＳ１４０において、図柄１７Ａ〜１７Ｈの組合せが大当たりの組合せであるか否かを判定する。なお、この際には、停止図柄の差替えが正しく行われたか否かの確認も行われる。そして、この判定条件が満たされていない場合には、「特別電動役物制御ルーチン」を終了する。また、図柄１７Ａ〜１７Ｈの組合せが大当たりの組合せである場合（実際に再変動が行われた場合も、この場合に該当する）には、ステップＳ１５０において、ラウンドカウンタＣＲを「０」にクリヤする。なお、このとき、制御装置２４によって大当たり報知表示がなされる。
【０１０５】
次に、制御装置２４は、ステップＳ１６０（図１０参照）において、入賞カウンタＣＥを「０」にクリヤするとともに、入賞判定フラグＦＥを「０」に設定する。また、続くステップＳ１７０においては、ラウンドカウンタＣＲを「１」ずつインクリメントする。
【０１０６】
さらに、ステップＳ１８０において、制御装置２４は、大入賞口用ソレノイド１２を励磁させる。すると、シャッタ１１が倒れて略水平状態となり、大入賞口４が開放される。この開放により、遊技球５のＶゾーン８及び入賞通路９への入賞が可能となる。
【０１０７】
次に、ステップＳ１９０において、制御装置２４は、入賞カウンタＣＥの値が予め定められた所定値ＣＥｍａｘよりも小さいか否かを判定する。そして、この判定条件が満たされている場合には、ステップＳ２００において、未だ大入賞口４の閉鎖予定時期が到来していないか否かを判定する。そして、大入賞口４の閉鎖予定時期がまだである場合には、処理をステップＳ１９０へ戻す。その結果、大入賞口４の開放開始後に所定値ＣＥｍａｘ個以上の遊技球５が入賞するか、閉鎖予定時期が到来するかしない限りは、大入賞口４が開放され続ける。これに対し、ステップＳ１９０又はステップＳ２００のいずれか一方が満たされていないと、ステップＳ２１０において、制御装置２４は、大入賞口用ソレノイド１２を消磁する。すると、シャッタ１１が起こされて略垂直状態となり、大入賞口４が閉鎖される。
【０１０８】
続いて、ステップＳ２２０において、制御装置２４は、ラウンドカウンタＣＲの値が予め定められた所定値ＣＲｍａｘよりも少ないか否かを判定する。そして、ラウンドカウンタＣＲの値が所定値ＣＲｍａｘよりも少ない場合には、続くステップＳ２３０において入賞判定フラグＦＥが「１」であるか否かを判定する。入賞判定フラグＦＥが「１」の場合には、処理をステップＳ１６０へと戻す。従って、一旦大当たり遊技状態が発生すると、遊技球５がＶゾーン８に入賞することによる継続条件が、所定値ＣＲｍａｘ回数満たされるまでは、大入賞口４が開閉のサイクルを繰り返す。例えば所定値ＣＥｍａｘが「１０」に設定され、大入賞口４の開放時間が「約２９．５秒」に設定され、所定値ＣＲｍａｘが「１６」に設定されている場合には、大入賞口４の開放後、（１）遊技球５が大入賞口４へ１０個入賞すること、（２）約２９．５秒が経過すること、のいずれか一方の条件が満たされた時点で大入賞口４が閉鎖される。この大入賞口４の開閉のサイクルが遊技球５のＶゾーン８への入賞を条件に最大で１６回繰り返されることとなる。そして、ステップＳ２２０又はステップＳ２３０の判定条件のいずれか一方が満たされていない場合には、「特別電動役物制御ルーチン」を一旦終了する。
【０１０９】
以上詳述したように、本実施の形態によれば、獲得されたノーマル外れリーチ変動回数ＲＨＣＮＴが「１」回又は「２」回となることにより、その回数に応じた分だけ、遊技球５の作動口３への入賞とは別に表示装置１３での図柄１７Ａ〜１７Ｈの変動表示が行われる。このため、作動口３に遊技球５が１つしか入賞しなかったとしても、２回以上変動表示が行われる場合も起こりうる。従って、遊技者は作動口３に遊技球５を入賞させることだけに集中する必要がなくなり、仮に作動口３に１つしか入賞しなかった場合であっても、２回目又は３回目の変動に際し大当たり状態の発生を期待しうる。そのため、遊技内容の面白味が一層増すこととなり、ひいては興趣の飛躍的な向上を図ることができる。
【０１１０】
また、本実施の形態では、保留ランプ１８ａ〜１８ｄにより、保留状態が遊技者に可視表示される。従って、遊技者は、その表示された保留状態を視認していれば、いわゆる通常の変動表示があと何回行われるのかを認識することができる。さらに、上述したノーマル外れリーチ変動処理が行われた場合には、結果的に保留ランプ１８ａ〜１８ｄの消灯、保留カウンタＣＨの減算が行われない。従って、ノーマル外れリーチ変動処理により、図柄１７Ａ〜１７Ｈの変動表示が行われたとしても、通常の変動表示回数に何ら影響が与えられることがない。特に、上記保留ランプ１８ａ〜１８ｄ等に関する作用とも相まって、遊技者は、その表示された保留状態を視認していれば、通常の変動表示が行われたのか、ノーマル外れリーチ変動処理による変動表示が行われたのかを区別することが可能となる。その結果、さらに面白味が増す。
【０１１１】
さらに、本実施の形態では、大当たり時において、高い確率でノーマル外れリーチ変動処理を行うこととした。すなわち、上記ノーマル外れリーチ変動処理による変動表示が行われた場合には、大当たり状態の発生する期待値が高められる。そのため、遊技者は、ノーマル外れリーチ変動処理による変動表示が行われたことを認識した場合には、大当たり状態が発生することを非常に期待し、いままでにないわくわく感をもって遊技を楽しむこととなる。かかる意味で、従来にない、遊技内容を堪能することができる。
【０１１２】
併せて、ノーマル外れリーチ変動が行われた場合には、予め定められた一定の図柄（本実施の形態では、「７」「８」「７」等の外れリーチ図柄）で停止される。従って、遊技者は、かかる一定の図柄で停止した場合に、その図柄を視認することにより、その図柄がいわゆるノーマル外れリーチ変動に際しての図柄であることを認識しうる。そのため、その次あるいはそのまた次の変動表示に際し、大当たり状態が発生するのではないかと期待することにより、さらに一層わくわく感が増し、興趣のさらなる向上が図られる。
【０１１３】
また、このようないわゆる外れリーチ図柄での停止により、上述した保留ランプ１８ａ〜１８ｄの消灯状態を見逃してしまったとしても、遊技者は、もしかして現在ノーマル外れリーチ変動が行われているのかもしれないという期待感が生じ、さらに面白味が増すこととなる。特に、遊技経験の浅い遊技者にとっては、上記図柄で停止することが、大当たり状態の発生へのキーワード的な役割を果たすかの如き認識される。従って、場合によっては、大当たり状態の発生とともに、上記図柄で停止することをも期待することが起こりうることから、遊技内容の厚みが増すこととなる。
【０１１４】
一方で、ノーマル外れリーチ変動が行われたとしても、必ずしも大当たり状態が発生するとは限らない。このため、遊技内容に厚みがより一層増し、より一層の興趣の向上を図ることができる。
【０１１５】
加えて、本実施の形態では、ノーマル外れリーチ変動に際し、表示装置１３での図柄１７Ａ〜１７Ｈの各変動表示時間は、通常のノーマルリーチ（外れリーチ時）の変動表示時間とほぼ同等に設定されている。従って、遊技者は、表示装置１３を視認しているだけでは、当該変動表示が、通常の変動表示なのか、ノーマル外れリーチ変動表示なのを判別することが困難となる。このため、さらに面白味が増すとともに、場合によっては、保留状態とは別に変動表示が行われることにより、遊技者はその変動分だけ得をした気分になる。
【０１１６】
さらに、本実施の形態では、大当たり時であるか、外れリーチ時であるか、または外れ時であるかによって、ノーマル外れリーチ変動回数ＲＨＣＮＴ、外れリーチ第１停止図柄ＲＭＺ１、外れリーチ第２停止図柄ＲＭＺ２を種々異ならせることとした。特に、本実施の形態では、大当たり時の場合ほど、獲得されるノーマル外れリーチ変動回数ＲＨＣＮＴが多くなりやすいよう、また、大当たり時の場合ほど、「７」「８」「７」の図柄で停止されやすいようにした。このため、遊技者は、ノーマル外れリーチ変動処理が多く行われることを期待するとともに、その場合にできるだけ、「７」「８」「７」のいわゆるリーチ目で停止することを希望する。従って、より一層面白味が増し、さらなる興趣の向上を図ることができる。
【０１１７】
併せて、本実施の形態では、上記ノーマル外れリーチ変動処理は、特別の条件が満たされたときに行われることとした。このため、当該ノーマル外れリーチ変動処理自体に稀少価値が生じ、たとえ大当たり状態が発生しなくとも、ノーマル外れリーチ変動に気づいた遊技者は、当該変動を十分に堪能しうる。
【０１１８】
尚、上記実施の形態の記載内容に限定されず、例えば次のように実施してもよい。
【０１１９】
（ａ）上記実施の形態では、ノーマル外れリーチ変動処理に際し、通常の変動停止態様と特に変わることなく（ノーマルリーチと同じような変動時間で、かつ、ノーマルリーチと同じような変動態様で）変動処理を行ったが、あえて異なった態様で行うようにしてもよい。
【０１２０】
（ｂ）上記実施の形態では、ノーマル外れリーチ変動処理（１つの遊技球５の作動口３への入賞に基づく複数回の変動）を遊技者に示唆する手法として、「７」「８」「７」等の図柄で停止させることとしたが、これ以外の方法を用いて示唆することとしてもよい。例えば、予め定められた特定の出目が停止表示されることとしてもよい。また、図柄１７Ａ〜１７Ｈとは別の、特有の表示対象を表示することとしてもよい。特有の表示対象としては、キャラクタ、背景画像等を挙げることができる。さらに、前記特有の表示対象を変化表示する（所定の動作を行わせたり、背景を適宜変化させる等）こととしてもよい。さらには、変化表示に際し１種のストーリー性を付与することとしてもよい。
【０１２１】
（ｃ）また、図柄の少なくとも一部が特定の動作変化を行う（例えば図柄を数字図柄とキャラクタ図柄との組み合わせによって構成し、キャラクタ図柄に動作変化を行わせる）かの如く表示することとしてもよい。
【０１２２】
（ｄ）さらに、１つの遊技球５の作動口３への入賞に基づく複数回の変動に際し、図柄が通常時とは異なる特有の変動態様で変動されるよう表示を行ってもよい。
【０１２３】
（ｅ）また、音声及び光の少なくとも一方で、図柄の複数回の変動停止表示を遊技者に示唆することとしてもよい。
【０１２４】
（ｆ）複数回の変動のうち１回の変動停止期間中（変動開始時、変動中、停止時のいつでもよい）にのみ（例えば、前記複数回の変動のうちの１回目の変動中にのみ）、特定のキャラクタを表示する等して示唆することとしてもよい。
【０１２５】
（ｇ）図柄の変動停止表示が複数回行われる際には、図柄が一旦停止表示される毎に、通常の変動に際し行われる音声やランプ等による演出をも一旦停止させるようにしてもよい。また、逆に、図柄の変動停止表示が複数回行われる際には、図柄が一旦停止表示されたとしても、音声やランプ等による演出を一旦停止させることなく継続するようにしてもよい。
【０１２６】
（ｈ）上記実施の形態では特に言及しなかったが、図柄の複数回の変動停止表示を、作動口３への入賞記憶回数が所定回数以上のときにのみ許容されるようにしてもよい。
【０１２７】
（ｉ）１個の作動口３への入賞によって行われる図柄の複数回の変動停止表示の回数は、前記入賞記憶回数に応じて決定されるようにしてもよい。
【０１２８】
（ｊ）上記実施の形態では、複数回の図柄の変動表示が行われている際には、一旦図柄が停止されても保留ランプ１８ａ〜１８ｄの消灯を行わないこととしたが、図柄が一旦停止される毎に疑似的に保留ランプ１８ａ〜１８ｄ消灯させることとし、当該複数回の図柄の変動表示が終了した後に、現状に復帰させることとしてもよい。また、保留ランプ１８ａ〜１８ｄの明度を徐変させることとしてもよい。さらに、複数回の図柄の変動表示が行われるべき入賞があった場合には、当該複数回分だけ、保留ランプ１８ａ〜１８ｄを複数個点灯させることとしてもよい。
【０１２９】
（ｋ）また、保留ランプ１８ａ〜１８ｄを見せかけ用のランプとして、上記（ｊ）のような点灯消灯を行うようにし、他方で、図１６に示すように、記憶結果に応じて点灯消灯しうるランプ２６ａ〜２６ｄを別途設けることとしてもよい。
【０１３０】
（ｌ）当たり目（大当たり図柄）を示唆するような表示制御を行ってもよい。このような構成とすることで、図柄の種類によって、確率変動モードや、時間短縮モード等の如き遊技者にさらに有利な利益が与えられるようなケースにおいては、遊技者は、示唆された図柄に基づいてわくわくどきどきすることになり、さらに興趣の向上を図ることができる。
【０１３１】
（ｍ）もちろん、ノーマル外れリーチ変動回数ＲＨＣＮＴを「３」回以上に設定してもよい。
【０１３２】
（ｎ）上記実施の形態では、ノーマル外れリーチ変動処理に際し、表示装置１３での図柄１７Ａ〜１７Ｈの変動表示時間を、通常の変動表示時間とほぼ同等に設定することとしたが、異なる時間としてもよい。
【０１３３】
（ｏ）上記実施の形態では、作動口３に少なくとも１つの遊技球５が入賞しない場合には理論上、ノーマル外れリーチ変動処理が実行されないようになっていたが、必ずしもそのようにしなくともよい。すなわち、作動口３への遊技球５の入賞とは全く無関係に複数回の変動処理を行ってもよい。例えばアウト口（遊技盤２下部の遊技球５の外れ口）に導かれた遊技球５が所定数を超える毎、或いは普通入賞口に入賞する毎に変動処理を行うこととしてもよい。
【０１３４】
（ｐ）保留ランプ１８ａ〜１８ｄを省略することとしてもよい。
【０１３５】
（ｑ）上記実施の形態では、再変動処理を行うこととしたが、かかる処理を省略してもよい。また、再変動処理に際しては、それまでのリーチパターンを維持することとしたが、そのようなリーチパターンを維持せずとも、単に全図柄列１４〜１６の図柄１７Ａ〜１７Ｈを再変動させるだけの構成としてもよい。また、それまでとは異なったリーチパターンを採用してもよい。
【０１３６】
（ｒ）表示装置１３としては、上述した液晶ディスプレイ以外にも、ＣＲＴ、ドットマトリックス、ＬＥＤ、エレクトロルミネセンス（ＥＬ）、蛍光表示菅等を用いてもよい。
【０１３７】
（ｓ）乱数に関するカウンタ（内部乱数カウンタＣＩ、外れリーチ乱数カウンタＣＯ、大当たり図柄乱数カウンタＣＢ、左・中・右の各図柄乱数カウンタＣＤＬ，ＣＤＣ，ＣＤＲ、リーチ種別決定カウンタＣＶ及びノーマル外れリーチ変動用乱数カウンタＣＲＨＺ）を適宜変更してもよい。例えば、１つの乱数カウンタを用い、その値に基づき大当たり状態、外れリーチ状態等を決定してもよい。また、ノーマル外れリーチ変動用乱数カウンタＣＲＨＺについては、ノーマル外れリーチ変動回数ＲＨＣＮＴ獲得用と、外れリーチ停止図柄ＲＨＺ１，ＲＨＺ２獲得用とに区別してもよい。
【０１３８】
（ｔ）本発明は、上記実施の形態とは異なるタイプのパチンコ機等にも適用できる。例えば、大当たり図柄が表示された後に所定の領域に遊技球を入賞させることを必要条件として特別遊技状態となるパチンコ機として実施してもよい。また、パチンコ機以外にも、アレパチ、雀球、スロットマシン等の各種遊技機として実施することも可能である。なお、スロットマシンは、例えばコインを投入して図柄有効ラインを決定させた状態で操作レバーを操作することにより図柄が変動され、ストップボタンを操作等することで図柄が停止されて確定される周知のものである。従って、スロットマシンの基本概念としては、「複数の図柄からなる図柄列を変動表示した後に確定図柄を表示する図柄表示手段を備え、始動用操作手段（例えば操作レバー）の操作に起因して図柄変動が開始され、停止用操作手段（例えばストップボタン）の操作に起因して或いは所定時間が経過することにより図柄変動が停止され、その停止時の確定図柄が特定図柄であることを必要条件として遊技者に有利な特別遊技状態を発生させる特別遊技状態発生手段とを備えたスロットマシン」となる。
【０１３９】
（ｕ）複数回の変動処理が行われたときには、必ずしも、リーチ動作を行う必要がない。また、ノーマルリーチ以外の、例えばスーパーリーチ動作を行わせるようにしてもよい。
【０１４０】
（ｑ）上記実施の形態では特に言及しなかったが、ノーマル外れリーチ変動処理を行わない場合においても、いわゆる所定の示唆図柄で停止する確率を増やすようにしてもよい。例えば、ステップＳ９０４の直前に、所定の条件を満たした場合に強制的に「７」「８」「７」を外れ図柄として記憶させるようにしてもよい。このようにすることで、遊技者は、たまたま「７」「８」「７」で停止したのか、ノーマル外れリーチ変動処理で停止したのかを識別しにくい場合が生じ、さらに遊技内容に厚みを持たせることができる。
【符号の説明】
【０１４１】
１…パチンコ機、２…遊技盤、３…作動口、４…大入賞口、５…遊技球、１３…表示装置、１３ａ…表示部、１４…左図柄列、１５…中図柄列、１６…右図柄列、１７Ａ〜１７Ｈ…図柄、１８ａ〜１８ｄ…保留ランプ、２４…制御装置。
【図１】
2010172747.tif 000003
【図２】
2010172747.tif 000004
【図３】
2010172747.tif 000005
【図４】
2010172747.tif 000006
【図５】
2010172747.tif 000007
【図６】
2010172747.tif 000008
【図７】
2010172747.tif 000009
【図８】
2010172747.tif 000010
【図９】
2010172747.tif 000011
【図１０】
2010172747.tif 000012
【図１１】
2010172747.tif 000013
【図１２】
2010172747.tif 000014
【図１３】
2010172747.tif 000015
【図１４】
2010172747.tif 000016
【図１５】
2010172747.tif 000017
【図１６】
2010172747.tif 000018